(57)【特許請求の範囲】
【請求項１】
施工現場に設置され、装置に投入されるセルフレベリング材を水と混練し、スラリーとして施工位置に供給するセルフレベリング材スラリー供給装置であって、
セルフレベリング材が投入されるホッパと、
前記ホッパに投入されたセルフレベリング材を連続的に所定位置に搬送する搬送部と、
前記搬送部によって搬送されてくるセルフレベリング材を一定量ずつ連続的に供給する定量供給部と、
前記定量供給部により供給されるセルフレベリング材を水と混練しながらセルフレベリング材のスラリーを連続的に排出する混練部と、
前記混練部から排出されるスラリーを連続的に施工位置に送り出す送出部とを備え、
前記送出部は、
前記混練部から排出されるスラリーを吐出するポンプ部と、
前記ポンプ部に接続され、該ポンプ部が吐出するスラリーを施工位置に導入するためのホースと、
前記ホースの途中に介在する前記スラリーの初期硬化回避用のスタティックミキサとを備えることを特徴とするセルフレベリング材スラリー供給装置。
【請求項２】
前記混練部においてセルフレベリング材と混練される水の温度を調整する水温調整部を備えることを特徴とする請求項１に記載のセルフレベリング材スラリー供給装置。
【請求項３】
前記ホッパは、
長さ方向に垂直な断面が上方に開いたＶ字状で、所定の角度で傾斜しており、一方の端部が該ホッパの最低部を構成し、他方の端部が該ホッパの上側部分に到る斜傾部と、
前記ホッパの最低部に設けられ、該ホッパに投入されたセルフレベリング材を連続的に排出するための排出口と、
前記斜傾部の長さ方向に沿って該斜傾部の内側に設けられた棒状部材に撹拌用の複数の部材を、間隔を置いて配置して構成した２つの撹拌部と、
前記２つの撹拌部を相互に逆方向に回転させるモータとを備えることを特徴とする請求項１又は２に記載のセルフレベリング材スラリー供給装置。
【請求項４】
前記搬送部は、
前記斜傾部の長さ方向に沿って設けられ、下方側の端部において前記排出口を導入口として有し、上方側の端部が前記定量供給部に接続された筒状の羽根ケースと、
前記羽根ケース内に設けられ、前記ホッパから前記導入口を介して該羽根ケース内に導入されるセルフレベリング材を該羽根ケースの上端部まで搬送して前記定量供給部に供給するスクリュー羽根と、
前記スクリュー羽根を回転させるモータとを備えることを特徴とする請求項３に記載のセルフレベリング材スラリー供給装置。
【請求項５】
施工現場に設置されたホッパに投入されるセルフレベリング材を用いて平坦面を形成する平坦面の形成方法であって、
前記ホッパに投入されたセルフレベリング材を、羽根スクリューを有する搬送部により定量供給部に搬送する搬送工程と、
前記搬送部により搬送されてくるセルフレベリング材を前記定量供給部により一定量ずつ混練部に供給する定量供給工程と、
前記定量供給部が供給するセルフレベリング材を前記混練部により水と混練し、スラリーとして排出する混練工程と、
前記混練工程で混練される水の温度を調整する水温調整工程と、
前記混練部から排出されるスラリーを送出部によりホースを介して前記平坦面を形成する位置に送り出す送出工程と、
前記ホースを介して送り出されるスラリーを、該ホースの途中に介在する該スラリーの初期硬化回避用のスタティックミキサで練直しする練直し工程とを備え、
前記搬送工程、前記定量供給工程、前記混練工程、前記送出工程及び練直し工程は、連続処理で行われることを特徴とする平坦面の形成方法。
【発明の詳細な説明】
【技術分野】
【０００１】
本発明は、施工現場に設置され、装置に投入されるセルフレベリング材を水と混練し、スラリーとして施工位置に供給するセルフレベリング材スラリー供給装置、及び該装置に適した平坦面の形成方法に関する。
【背景技術】
【０００２】
従来、セルフレベリング材を搬送するとともに、施工現場において混練し、スラリーとして供給するセメント混練物製造用トラックが知られている（例えば、特許文献１）。このトラックは、回転可能なセメント粉体輸送用のドラムと、セメント出入口に接続したセメント粉体排出路と、セメント粉体排出路に付設されたセメント粉体定量送り装置と、セメント粉体定量送り装置に接続したセメント混練装置と、混練装置に接続された混練水タンクとを備える。
【０００３】
セメント粉体輸送用のドラムは、内部にらせん状ブレードを有し、上方部位にセメントの出入口が位置するように傾斜させて配置される。該ドラムの出入口からセメントが充填され、また必要時に該ドラムを回転させることにより、セメントが該ドラムから排出される。排出されたセメントは、セメント粉体定量送り装置により送り量が制御されてセメント混練装置に導入され、水と混練され、スラリーとして供給される。
【０００４】
これによれば、セメントスラリーを、必要に応じて調製して使用することができる。したがって、セメントを無駄にすることがなく、またセメントスラリーの余剰分の廃棄の問題も発生しない。したがって、自己流延性（セルフレベリング性）セメントを工事現場で用いる際に利用すると特に有利である。
【先行技術文献】
【特許文献】
【０００５】
【特許文献１】特開平５−２０８４１２号公報
【発明の概要】
【発明が解決しようとする課題】
【０００６】
しかしながら、上記セメント混練物製造用トラックによれば、施工現場において混練してスラリー化するセルフレベリング材等のセメントは、該トラックのセメント粉体輸送用のドラムに収容して搬送される。このため、スラリー化するセルフレベリング材等のセメントは、原則として、セメント混練物製造用トラックのセメント粉体輸送用ドラムに収容して搬送されてきたものに限定される。
【０００７】
また、セメント混練物製造用トラックは、セメント粉体輸送用ドラムと混練水タンクを搭載しているので、セメント混練装置等の他の機器を搭載するスペースが限定される。したがって、セメント混練装置等の機器としては、小規模なものしか搭載できず、大きな面積に対する施工や、安定した性状のスラリーの供給には対応することができないおそれがある。
【０００８】
本発明の目的は、かかる従来技術の課題に鑑み、セルフレベリング材の購入先が限定されず、大面積の施工に対応でき、安定した性状のスラリーを供給できるセルフレベリング材スラリー供給装置及び該装置に適した平坦面の形成方法を提供することにある。
【課題を解決するための手段】
【０００９】
第１発明に係るセルフレベリング材スラリー供給装置は、
施工現場に設置され、装置に投入されるセルフレベリング材を水と混練し、スラリーとして施工位置に供給するセルフレベリング材スラリー供給装置であって、
セルフレベリング材が投入されるホッパと、
前記ホッパに投入されたセルフレベリング材を連続的に所定位置に搬送する搬送部と、
前記搬送部によって搬送されてくるセルフレベリング材を一定量ずつ連続的に供給する定量供給部と、
前記定量供給部により供給されるセルフレベリング材を水と混練しながらセルフレベリング材のスラリーを連続的に排出する混練部と、
前記混練部から排出されるスラリーを連続的に施工位置に送り出す送出部とを備え、
前記送出部は、
前記混練部から排出されるスラリーを吐出するポンプ部と、
前記ポンプ部に接続され、該ポンプ部が吐出するスラリーを施工位置に導入するためのホースと、
前記ホースの途中に介在する前記スラリーの初期硬化回避用のスタティックミキサとを備えることを特徴とする。
【００１０】
第１発明のセルフレベリング材スラリー供給装置によれば、トラック上にセメント粉体輸送用のドラムと共に搭載されたものではなく、施工現場に直接設置されるものであるため、比較的大きな規模の装置として施工現場に設置することができる。したがって、セルフレベリング材の仕入れ先も自由に選択でき、大面積の施工に対しても容易に対応することができるとともに、安定した性状のスラリーを連続的に供給することができる。
【００１２】
また、スタティックミキサでスラリーを練り直すことができるので、ホースで送る途中でスラリーの初期硬化が生じるのを防止し、スラリーの伸びが不安定になったり、伸びにばらつきが生じたりするのを回避することができる。
【００１３】
第２発明に係るセルフレベリング材スラリー供給装置は、第１発明において、前記混練部においてセルフレベリング材と混練される水の温度を調整する水温調整部を備えることを特徴とする。
【００１４】
第２発明によれば、外気温度に応じて水温を調整することができるので、外気温度に拘わらず、良好な性状を有するスラリーを供給することができる。
【００１５】
第３発明に係るセルフレベリング材スラリー供給装置は、第１又は第２発明において、
前記ホッパは、
長さ方向に垂直な断面が上方に開いたＶ字状で、所定の角度で傾斜しており、一方の端部が該ホッパの最低部を構成し、他方の端部が該ホッパの上側部分に到る斜傾部と、
前記ホッパの最低部に設けられ、該ホッパに投入されたセルフレベリング材を連続的に排出するための排出口と、
前記斜傾部の長さ方向に沿って該斜傾部の内側に設けられた棒状部材に撹拌用の複数の部材を、間隔を置いて配置して構成した２つの撹拌部と、
前記２つの撹拌部を相互に逆方向に回転させるモータとを備えることを特徴とする。
【００１６】
第３発明によれば、ホッパに投入されたセルフレベリング材を２つの撹拌部により極力均一に均しながら、搬送部に排出することができる。
【００１７】
第４発明に係るセルフレベリング材スラリー供給装置は、第３発明において、
前記搬送部は、
前記斜傾部の長さ方向に沿って設けられ、下方側の端部において前記排出口を導入口として有し、上方側の端部が前記定量供給部に接続された筒状の羽根ケースと、
前記羽根ケース内に設けられ、前記ホッパから前記導入口を介して該羽根ケース内に導入されるセルフレベリング材を該羽根ケースの上端部まで搬送して前記定量供給部に供給するスクリュー羽根と、
前記スクリュー羽根を回転させるモータとを備えることを特徴とする。
【００１８】
第４発明によれば、セルフレベリング材をスクリュー羽根により徐々に搬送できるので、セルフレベリング材の粉塵を巻き上げることなく、適度に圧縮され、均一化された状態のセルフレベリング材を定量供給部に供給することができる。したがって、定量供給部によるセルフレベリング材の一定量ずつの供給をより正確に行うことができる。また、羽根ケースをホッパの斜傾部の長さ方向に沿って設けたので、搬送部の上側の端部の下方に定量供給部を配置して、セルフレベリング材スラリー供給装置をコンパクトに構成することができる。
【００１９】
第５発明に係る平坦面の形成方法は、
施工現場に設置されたホッパに投入されるセルフレベリング材を用いて平坦面を形成する平坦面の形成方法であって、
前記ホッパに投入されたセルフレベリング材を、羽根スクリューを有する搬送部により定量供給部に搬送する搬送工程と、
前記搬送部により搬送されてくるセルフレベリング材を前記定量供給部により一定量ずつ混練部に供給する定量供給工程と、
前記定量供給部が供給するセルフレベリング材を前記混練部により水と混練し、スラリーとして排出する混練工程と、
前記混練工程で混練される水の温度を調整する水温調整工程と、
前記混練部から排出されるスラリーを送出部によりホースを介して前記平坦面を形成する位置に送り出す送出工程と、
前記ホースを介して送り出されるスラリーを、該ホースの途中に介在する前記スラリーの初期硬化回避用のスタティックミキサで練直しする練直し工程とを備え、
前記搬送工程、前記定量供給工程、前記混練工程、前記送出工程及び練直し工程は、連続処理で行われることを特徴とする。
【図面の簡単な説明】
【００２０】
【図１】本発明の一実施形態に係るセルフレベリング材スラリー供給装置の正面図である。
【図２】図１のセルフレベリング材スラリー供給装置の平面図である。
【図３】図１のセルフレベリング材スラリー供給装置の混練部及び送出部の部分を図１の左方から見た図である。
【図４】図１のセルフレベリング材スラリー供給装置のフレームにより支持されたホッパ部分を左側から見た断面図である。
【図５】図１のセルフレベリング材スラリー供給装置の斜傾部及び搬送部の部分を図１中のＡ方向から見た図である。
【発明を実施するための形態】
【００２１】
以下、図面を用いて本発明の実施形態を説明する。本実施形態のセルフレベリング材スラリー供給装置は、セルフレベリング材の施工現場において設置され、装置に投入されるセルフレベリング材を混練しながらスラリーとして連続的に施工位置に供給するものである。
【００２２】
図１に示すように、このセルフレベリング材スラリー供給装置１は、セルフレベリング材が投入されるホッパ２と、ホッパ２に投入されたセルフレベリング材を連続的に所定位置に搬送する搬送部３とを備える。
【００２３】
搬送部３の下流側には、搬送部３によって連続的に搬送されるセルフレベリング材を一定量ずつ連続的に供給する定量供給部４と、定量供給部４から供給されるセルフレベリング材を水と混練しながらセルフレベリング材のスラリーを連続的に排出する混練部５とが設けられる。混練部５の下流側には、混練部５が排出するスラリーを連続的に施工位置に送り出す送出部６が設けられる。
【００２４】
図２に示すように、ホッパ２の上面には正方形状を有し、中央に直径１ｍ程度の投入口７が設けられた上面板８が載置される。ホッパ２へのセルフレベリング材の投入は、投入口７を経て行われる。上面板８の周囲４か所に、吊掛部９ａが設けられており、これらにフックを掛けて上面板８を持ち上げることができるようになっている。なお、図２では、搬送部３の一部や、定量供給部４、後述する撹拌部１７の図示を省略している。
【００２５】
図２では図示していないが、投入口７には、直径１ｍ程度の円盤状の上蓋１０（図１参照）が設けられる。上蓋１０は、セルフレベリング材をホッパ２に投入するときに開かれる。投入口７の内側には、投入されるセルフレベリング材がホッパ２内で適当に分散するように組まれた分散部材１１が設けられる。
【００２６】
ホッパ２及び搬送部３は、フレーム１２上に設けられる。フレーム１２の適宜箇所には、フレーム１２とともにホッパ２及び搬送部３を搬送するときに、フレーム１２を吊り下げるフックを掛けるための吊掛部９ｂが設けられる。
【００２７】
図４に示すように、ホッパ２は、Ｗ方向（図１；長さ方向）に垂直な断面が上方に開いたＶ字状の斜傾部１３を備える。斜傾部１３は、Ｗ方向における一方の端部においてホッパ２の最低部を構成し、該最低部から所定の角度で傾斜して他方の端部であるホッパ２の上側部分に到る。斜傾部１３の最低部には、ホッパ２に投入されたセルフレベリング材を連続的に排出するための排出口１４が設けられる。なお、図４では、後述する撹拌部１７の図示を省略している。
【００２８】
図１のように、斜傾部１３の内側には、棒状部材１５に対して撹拌用の複数の撹拌部材１６を配置して構成した２つの撹拌部１７が設けられる。撹拌部材１６は、断面が長方形状の棒状の部材で構成され、棒状部材１５に対し、その長さ方向に所定間隔を置いて１本ずつが、径方向外方に向けて、かつ順次周方向に９０°ずつ加算されてゆく方向に向けて配置される。すなわち、撹拌部材１６は、棒状部材１５の長さ方向に対し、らせん状に配置される。
【００２９】
図５に示すように、２つの撹拌部１７は、斜傾部１３のＷ方向（図１参照）に沿った対称面Ｐに対して対称な位置に設けられる。図１のように、棒状部材１５の一端部は、ホッパ２のＷ方向における他方の側の側壁から突出している。この突出部分は、該側壁に固定された筒状のカバー１８により覆われる。
【００３０】
カバー１８の該側壁と反対側の端部には、各棒状部材１５を回転させるモータ１９がフランジ１９ａを介して設けられる。モータ１９としては、例えば、ハイポニックギヤモータが用いられる。
【００３１】
搬送部３は、斜傾部１３の底部に沿って設けられた筒状の羽根ケース２０と、羽根ケース２０内に設けられたスクリュー羽根２１と、スクリュー羽根２１を回転させるモータ２２とを備える。モータ２２は、羽根ケース２０の上側の端部においてフランジ部２３を介して取り付けられる。モータ２２としては、例えば、ハイポニックギヤモータが用いられる。
【００３２】
羽根ケース２０は、その下側の端部において、ホッパ２の排出口１４を導入口２４として有し、上側の端部が定量供給部４に接続される。スクリュー羽根２１は、導入口２４から羽根ケース２０内に供給されるセルフレベリング材を、羽根ケース２０の上端部まで搬送し、定量供給部４に供給する。
【００３３】
モータ１９、２２等の駆動は、フレーム１２に固定された制御盤２５により制御される。オペレータは、制御盤２５上の各種スイッチやモニタランプ等により、モータ１９、２２等の駆動等に関する設定を行うことができる。
【００３４】
定量供給部４は、羽根ケース２０の上側の端部の下方に位置し、該上側の端部に対し、筒状の導入管２６により接続される。定量供給部４としては、モータで回転されるロータリフィーダで構成したものが用いられる。
【００３５】
このロータリフィーダは、外周に径方向外方を向いた８個の受け部２７が設けられた回転部２８を備える。このロータリフィーダによれば、回転部２８を回転させることにより、各受け部２７が上方の導入管２６からのセルフレベリング材を一定量受け取り、これを下方の混練部５に供給することを繰り返す。これにより、セルフレベリング材が一定量ずつ連続的に混練部５に供給される。
【００３６】
混練部５としては、スパイラルミキサが用いられる。ミキサ槽内にセルフレベリング材を一定時間滞留させる滞留ゾーンを有するので、より均質に、連続的な混練を行うことができるからである。
【００３７】
図３に示すように、混練部５は、定量供給部４（図１）からのセルフレベリング材を水と混練するミキサ部５ａ、ミキサ部５ａを駆動するモータ５ｂ、モータ５ｂ等を制御するための制御盤５ｃを備える。ミキサ部５ａ、モータ５ｂ及び制御盤５ｃはミキサベース５ｄ上に設けられる。ミキサ部５ａでの混練により得られるスラリーは、導出管５ｅを経て送出部６に供給される。
【００３８】
図２に示すように、混練部５に対する水の供給は、水道加圧装置３８により加圧され、さらに水温調整部２９により温度が調整された水道水を、バルブ装置３０を経て混練部５に送ることにより行われる。水温調整部２９では、混練部５で得られるスラリーが適切な流動性を有するように、水道加圧装置３８からの水道水の水温が調整される。
【００３９】
図１に示すように、送出部６は、混練部５が排出するセルフレベリング材のスラリーを受ける受給部３１と、受給部３１に排出されたスラリーを送り出す送出スクリュー３２と、送出スクリュー３２により送り出されるスラリーを吐出するポンプ部３３と、送出スクリュー３２及びポンプ部３３を共通の中心軸線上で一体的に回転させるモータ３４と、モータ３４を制御するための制御盤３５とを備える。
【００４０】
受給部３１は、横断面がＶ字状で、上方に長方形状をなして開き、底の方が狭くなった容器の形状を有しており、混練部５が排出するスラリーが、底部の方に流れてゆくようになっている。
【００４１】
受給部３１の底部の一方の側はポンプ部３３に接続される。送出スクリュー３２は、受給部３１の底部に流れ込んでくるスラリーをポンプ部３３に送り出すことができるように、受給部３１の底部に沿って設けられる。
【００４２】
ポンプ部３３の吐出口には、スラリーを施工位置に導入するためのホース３６が接続される。図２に示すように、ホース３６の途中には、スラリーを練直しするためのスタティックミキサ３７が設けられる。スタティックミキサ３７とは、それを通過する流体を、分割・転換・反転の作用により、効果的に混合する、動力不要のミキサである。
【００４３】
次に、セルフレベリング材スラリー供給装置１を用いて平坦面を形成する方法について説明する。まず、トラック等により、セルフレベリング材スラリー供給装置１を、平坦面を形成する施工現場に搬送する。この搬送は、セルフレベリング材スラリー供給装置１を分割して行われる。例えば、フレーム１２、ホッパ２及び搬送部３の部分と、図３で示されるミキサベース５ｄ上に設けられた混練部５の部分と、これら以外の送出部６の部分とに分割して、６トン車などでそれぞれ別個に搬送することができる。
【００４４】
施工現場に搬入された各部分により、セルフレベリング材スラリー供給装置１が組み立てられる。また、施工現場には、別途手配したセルフレベリング材が、その仕入先から搬入される。
【００４５】
次に、上蓋１０を開けてセルフレベリング材をホッパ２内に投入する。投入後は、上蓋１０を閉めておく。投入されたセルフレベリング材は、分散部材１１により適度に分散されてホッパ２内の斜傾部１３を経て搬送部３に供給される。このとき、斜傾部１３上のセルフレベリング材は、２つのモータ１９により回転されている２つの撹拌部１７によって撹拌される。
【００４６】
このとき、２つのモータ１９は、相互に逆回転される。これにより、２つの撹拌部１７は、回転方向に応じて双方の間から又は双方の外側からセルフレベリング材を斜傾部１３の底部の方に掻き込むように動作する。また、斜傾部１３は傾斜しているので、セルフレベリング材は、斜傾部１３の底部における低い方の端部に移動してゆく。
【００４７】
該端部に移動してきたセルフレベリング材は、排出口１４から搬送部３に供給される。すなわち、搬送部３の導入口２４から搬送部３の羽根ケース２０内に導入される。このセルフレベリング材の搬送部３への供給は、連続的に行われる。
【００４８】
連続的に搬送部３に供給されるセルフレベリング材について、その後、以下のように、順次、搬送工程、定量供給工程、混練工程、送出工程及び練直し工程が連続処理で行われる。
【００４９】
すなわち、搬送工程では、羽根ケース２０内に導入されたセルフレベリング材を搬送部３により搬送して定量供給部４に供給する。このとき、羽根ケース２０の下側の端部に導入されたセルフレベリング材は、第２モータ２２により回転されているスクリュー羽根２１により、羽根ケース２０の上側の端部まで搬送され、導入管２６内を落下して、定量供給部４に対して連続的に供給される。
【００５０】
次の定量供給工程では、搬送工程で供給されるセルフレベリング材を定量供給部４により一定量ずつ混練部５に供給する。
【００５１】
すなわち、定量供給部４の回転部２８が、モータにより一定速度で回転される。このとき、導入管２６内を落下してくるセルフレベリング材が導入管２６の下に位置する回転部２８の受け部２７に受け取られ、その受け部２７が回転部２８の反対側まで回転移動したとき、受け取られたセルフレベリング材が混練部５に供給される。このようにして、各受け部２７により、順次一定量のセルフレベリング材が混練部５に対して連続的に供給される。
【００５２】
次の混練工程では、定量供給部４が供給するセルフレベリング材を、混練部５により水と混練してセルフレベリング材のスラリーを取得し、送出部６に供給する。すなわち、定量供給部４からのセルフレベリング材は、モータ５ｂにより駆動されているミキサ部５ａに供給され、ミキサ部５ａにより、水道加圧装置３８から供給される水と混練される。
【００５３】
このとき、供給される水の水温は、水温調整部２９による水温調整工程を経て、適切に調整される。したがって、氷点下での施工においても、適切な流動性を有するスラリーを得ることができる。
【００５４】
次の送出工程では、混練部５により供給されるスラリーを送出部６によりホース３６を介して平坦面を形成する施工位置に送り出す。すなわち、混練部５が排出するスラリーは、送出部６の受給部３１により受け取られ、送出スクリュー３２によりポンプ部３３に送られて吐出される。吐出されるスラリーは、ホース３６を介して、平坦面を形成する施工位置に導入され、平坦面の形成に供される。
【００５５】
このとき、ホース３６で送られるスラリーについて練直し工程が行われる。すなわち、ホース３６の途中に介在するスタティックミキサ３７で、スラリーが練直しされる。この練直しにより、打設されるスラリーの初期硬化を回避し、スラリーの延性等の安定化が図られる。打設終了後は、ホース３６や装置内のスラリーの残留物が水洗いされ、そのアルカリ性の洗い水は、分離槽と薬品を用いて中性に戻してから排水される。
【００５６】
以上のように、本実施形態のセルフレベリング材スラリー供給装置１によれば、ホッパ２に投入されたセルフレベリング材を定量供給部４の上方に搬送部３で搬送し、定量供給部４で一定量ずつ混練部５に供給してセルフレベリング材のスラリーを取得し、送出部６により施工位置に供給するようにしたので、セルフレベリング材のスラリーをバッチ処理によらずに連続処理によって施工位置に供給することができる。
【００５７】
また、セルフレベリング材スラリー供給装置１を施工現場に容易に設置し、別途購入したセルフレベリング材を用いて連続的にセルフレベリング材のスラリーを供給できるので、セルフレベリング材の購入先が限定されることなく、任意に購入先を決定することができる。
【００５８】
また、スタティックミキサ３７により練直し（二度練り）を行うようにしたので、均質で、安定したセルフレベリング材スラリーを供給することができる。
【００５９】
また、混練部５において加えられる水の温度を調整するようにしたので、外気温によらずに良好な延性を有するセルフレベリング材スラリーを供給することができる。例えば、冬の零下の温度の場合にも、水温を高目に調整することにより、性状の良好なスラリーを供給することができる。
【００６０】
また、これらの利点により、セルフレベリング材を用いた広い領域の平坦面の形成にも容易に対応することができる。
【００６１】
また、ホッパ２に投入されたセルフレベリング材を搬送部３のスクリュー羽根２１でゆっくり定量供給部４の上方まで搬送するようにしたので、セルフレベリング材の粉塵を巻き上げることなく、適度に圧縮され、均一化された状態のセルフレベリング材を定量供給部４に供給することができる。したがって、定量供給部４によるセルフレベリング材の一定量ずつの供給をより正確に行うことができる。
【００６２】
また、ホッパ２を、斜傾部１３で構成し、搬送部３を斜傾部１３の底部に沿って設け、搬送部３の上側の端部の下方に定量供給部４を配置したので、セルフレベリング材スラリー供給装置１をコンパクトに構成することができる。
【００６３】
なお、本発明は、上記実施形態に限定されない。例えば、定量供給部として、セルフレベリング材を一定量ずつ連続的に供給できるものであれば、ロータリフィーダ以外のものを用いてもよい。また、スタティックミキサに代えて、他の動力を要するミキサを用いてもよい。また、ポンプ部として、スネーク式以外のものを用いてもよい。また、混練部として、連続的に混練を行うことができるものであれば、スパイラルミキサ以外のミキサを用いてもよい。
【符号の説明】
【００６４】
１…セルフレベリング材スラリー供給装置、２…ホッパ、３…搬送部、４…定量供給部、５…混練部、６…送出部、３３…ポンプ部、３６…ホース、３７…スタティックミキサ、２９…水温調整部、１３…斜傾部、１４…排出口、１５…棒状部材、１６…撹拌部材、１７…撹拌部、５ｂ、１９、２２、３４…モータ、２４…導入口、２０…羽根ケース、２１…スクリュー羽根。
【要約】
【課題】大面積の施工に対応でき、安定した性状のスラリーを供給できるセルフレベリング材スラリー供給装置及び該装置に適した平坦面の形成方法を提供する。
【解決手段】セルフレベリング材スラリー供給装置１は、ホッパ２に投入されたセルフレベリング材を定量供給部４に搬送する搬送部３と、搬送部３によって搬送されてくるセルフレベリング材を一定量ずつ連続的に供給する定量供給部４と、定量供給部４により供給されるセルフレベリング材を水と混練しながらセルフレベリング材のスラリーを連続的に排出する混練部５と、混練部５が排出するスラリーを連続的に施工位置に送り出す送出部６とを備える。
【選択図】図１【図１】
0006054488.tif 000002
【図２】
0006054488.tif 000003
【図３】
0006054488.tif 000004
【図４】
0006054488.tif 000005
【図５】
0006054488.tif 000006